(57)【要約】      （修正有）【課題】作業中は顔面を両耳まで広く覆い、それ以外では顔面の上方にコンパクトに退避できるヘルメット用フェイスシールドを提供する。【解決手段】ヘルメット用フェイスシールドであって、装着者の顔面を両耳まで覆う大きさの保護面２０と、保護面をヘルメット３０に対して保持する保持部１０とを備え、保持部は、固定部材１１と、取付部材１３と、固定部材の端部および取付部材に対して、回動可能に連結される連結部材１２とを有している。【選択図】図１
0003224635.tif 000002
【実用新案登録請求の範囲】
【請求項１】
装着者の顔面を両耳まで覆う大きさの保護面と、
ヘルメットに着脱可能に取り付けられ、前記保護面を前記ヘルメットに対して保持する保持部と、を備えており、
前記保持部は、
前記保護面の上側の縁に固定されている固定部材と、
前記ヘルメットに取り付けられる２つの取付部材と、
前記固定部材の２つの端部の一方、および２つの前記取付部材の一方のそれぞれに対して、回動可能に連結される第１の連結部材と、
前記固定部材の２つの端部の他方、および２つの前記取付部材の他方のそれぞれに対して、回動可能に連結される第２の連結部材と、を有していることを特徴とする、ヘルメット用フェイスシールド。
【請求項２】
前記固定部材、前記第１の連結部材および前記第２の連結部材は、プラスチックにより形成されていることを特徴とする、請求項１に記載のヘルメット用フェイスシールド。
【請求項３】
前記保護面は、保護メガネが前記顔面に装着され、かつ、前記保護面が前記ヘルメットに取り付けられて前記顔面を覆っている状態で、前記保護メガネとの間に空間を形成することを特徴とする、請求項１または２に記載のヘルメット用フェイスシールド。
【請求項４】
請求項１から３の何れか１項に記載のヘルメット用フェイスシールドが取り付けられていることを特徴とする、ヘルメット。
【考案の詳細な説明】
【技術分野】
【０００１】
本考案は、ヘルメット用フェイスシールドおよびヘルメットに関する。
【背景技術】
【０００２】
工場での作業時等に装着する顔面用の保護具として、ヘルメットに顔面を保護するためのフェイスシールドを取り付けたものを用いる場合がある。また、このようなフェイスシールドは、作業中のみ顔面を覆い、それ以外の場合は顔面の上方等に退避させることができることが、利便性の観点から好ましい。
【０００３】
このような保護具として、例えば特許文献１には、ヘルメット下端縁に着脱自在に装着できる取付金具に連結片の一端を枢着し、該連結片の他端に防災面を支持するふち金具を枢着した、防災面取付装置が開示されている。
【先行技術文献】
【特許文献】
【０００４】
【特許文献１】実開昭５７−１１６７２３号公報
【考案の概要】
【考案が解決しようとする課題】
【０００５】
しかしながら、特許文献１に開示されている、防災面取付装置によりヘルメット下端縁に取り付けられる防災面は、顔面の前方のみ覆うものであり顔面の側方は覆われていない。装着者は、作業中に飛散物等が顔面に向かってきた場合には、とっさに横を向いて避ける動作を取ることがある。この場合、特許文献１に開示されている防災面では、顔面を十分に保護することができないという問題点がある。
【０００６】
上述の問題点を解決するために、本考案の一態様は、作業中は顔面を両耳まで広く覆い、それ以外では顔面の上方にコンパクトに退避できる保護面を備えたヘルメット用フェイスシールドを実現することを目的とする。
【課題を解決するための手段】
【０００７】
上記の課題を解決するために、本考案の一態様に係るヘルメット用フェイスシールドは、装着者の顔面を両耳まで覆う大きさの保護面と、ヘルメットに着脱可能に取り付けられ、前記保護面を前記ヘルメットに対して保持する保持部と、を備えており、前記保持部は、前記保護面の上側の縁に固定されている固定部材と、前記ヘルメットに取り付けられる２つの取付部材と、前記固定部材の２つの端部の一方、および２つの前記取付部材の一方のそれぞれに対して、回動可能に連結される第１の連結部材と、前記固定部材の２つの端部の他方、および２つの前記取付部材の他方のそれぞれに対して、回動可能に連結される第２の連結部材と、を有している。
【０００８】
前記の構成によれば、ヘルメット用フェイスシールドは装着者の顔面を両耳まで覆う大きさの保護面を備えている。そのため、ヘルメット用フェイスシールドが取り付けられたヘルメットの装着者は、顔面の正面だけでなく、側面も保護面によって保護できる。例えば装着者の顔面に飛散物が向かってきた場合、装着者はとっさに横を向いて避ける動作をしてしまうことがある。このような場合でも、前記の構成を備える保護面であれば、装着者の顔面に飛散物が付着することを効果的に防止できる。また、広範囲に飛散物が飛び散って装着者の顔面に向かってきても、保護面は装着者の顔面を、側面を含めて効果的に保護できる。
【０００９】
また、ヘルメット用フェイスシールドは、保持部に第１・第２の連結部材を備えている。これにより装着者は、保護面を顔面の正面から退避させる場合に、保護面がヘルメットの上方の空間を大きく占有することなく、ヘルメットの外表面を覆うようにコンパクトに退避できる。したがって、装着者の移動時に、保護面と工場内設備等とが接触しにくく、保護面および工場内設備の損傷等を低減できる。
【００１０】
本考案の一態様に係るヘルメット用フェイスシールドは、前記固定部材、前記第１の連結部材および前記第２の連結部材は、プラスチックにより形成されていてもよい。前記の構成によれば、固定部材および第１・第２の連結部材が比較的軽量なプラスチックにより形成されているため、ヘルメット用フェイスシールドを軽量化することが容易となる。そのため、ヘルメット用フェイスシールドが取り付けられたヘルメットの重量による装着者への負担を軽減できる。
【００１１】
本考案の一態様に係るヘルメット用フェイスシールドは、前記保護面は、保護メガネが前記顔面に装着され、かつ、前記保護面が前記ヘルメットに取り付けられて前記顔面を覆っている状態で、前記保護メガネとの間に空間を形成するものであってもよい。
【００１２】
前記の構成によれば、保護メガネと、保護面を備えるヘルメットとの両方の装着が必要となるような作業現場で作業する場合に、ヘルメット用フェイスシールドが取り付けられたヘルメットを好ましく使用できる。
【００１３】
上記の課題を解決するために、本考案の一態様に係るヘルメットは、上記何れかのヘルメット用フェイスシールドが取り付けられている。
【考案の効果】
【００１４】
本考案の一態様によれば、作業中は顔面を両耳まで広く覆い、それ以外では顔面の上方にコンパクトに退避できる保護面を備えたヘルメット用フェイスシールドを実現できる。
【図面の簡単な説明】
【００１５】
【図１】一実施形態に係るフェイスシールドが取り付けられたヘルメットを示す側面図および正面図である。
【図２】フェイスシールドを退避位置に移動させる途中の状態を示す側面図である。
【図３】フェイスシールドを退避位置に移動させた状態を示す側面図である。
【図４】一実施形態に係るフェイスシールドが取り付けられたヘルメットを、作業者が装着した状態を示す側面図である。
【図５】一実施形態の変形例に係るフェイスシールドが取り付けられたヘルメットを、作業者が装着した状態を示す側面図である。
【考案を実施するための形態】
【００１６】
〔フェイスシールドの構造〕
本考案の一実施形態について、図１から図４を用いて以下に説明する。図１に示すように、本実施形態に係るフェイスシールド（ヘルメット用フェイスシールド）１は、保持部１０と、保護面２０と、を備えている。フェイスシールド１は、ヘルメット３０に取り付けて使用される。本明細書では主に、フェイスシールド１をヘルメット３０に取り付けた状態を例として、フェイスシールド１について説明する。なお図１では、フェイスシールド１およびヘルメット３０の側面図を符号１０１により、正面図を符号１０２によりそれぞれ示している。
【００１７】
また、本明細書においてフェイスシールド１およびヘルメット３０の上方とは、図１では紙面に向かって上側の方向であり、ヘルメット３０を装着した装着者の頭頂部側の方向を示す。また、フェイスシールド１およびヘルメット３０の下方とは、前記上方とは反対側の方向を示す。ただし、フェイスシールド１の方向はこれに限られない。
【００１８】
（保持部）
保持部１０は、保護面２０をヘルメット３０に対して保持する部材である。保持部１０は、固定部材１１と、連結部材（第１の連結部材および第２の連結部材）１２と、取付部材１３と、を備えている。固定部材１１は、保護面２０の上側の縁に固定されている部材である。固定部材１１は、フェイスシールド１がヘルメット３０に取り付けられた状態で、ヘルメット３０の外表面の形状に干渉しないように、当該外表面の形状に沿って湾曲した形状である。固定部材１１の形状はこれに限られず、フェイスシールド１が取り付けられるヘルメット３０の形状に合わせて、適宜調整されてよい。
【００１９】
取付部材１３は、ヘルメット３０の周縁部に取り付けられる部材である。フェイスシールド１は、取付部材１３によりヘルメット３０の周縁部に取り付けられる。保持部１０はその両端に２つの取付部材１３を備えており、各取付部材１３は、ヘルメット３０の周縁部の、略対称となる位置にそれぞれ固定されている。なお、取付部材１３がヘルメット３０の周縁部に取り付けられる位置は、当該周縁部の略対称となる位置に限られず、当該周縁部のいかなる位置であってもよい。
【００２０】
取付部材１３によるヘルメット３０の周縁部への固定は、着脱可能な態様による固定である。このような固定の態様として、例えば、取付部材１３がヘルメット３０の周縁部を挟み込んで挟持する態様であってもよく、取付部材１３がヘルメット３０の周縁部にネジ等により螺合される態様であってもよいが、これに限定されない。保持部１０が取付部材１３を介して、前記の態様によりヘルメット３０に固定されるため、フェイスシールド１は、ヘルメット３０に着脱可能に取り付けられることができる。
【００２１】
固定部材１１の２つの端部はそれぞれ、２つの連結部材１２の一端部と接続されている。また、２つの連結部材１２の他端部はそれぞれ、２つの取付部材１３と接続されている。より具体的には、固定部材１１の２つの端部の一方、および２つの取付部材１３の一方は、連結部材（第１の連結部材）１２により連結されている。また、固定部材１１の２つの端部の他方、および２つの取付部材１３の他方は、連結部材（第２の連結部材）１２により連結されている。なお、以降の説明においては、２つの固定部材１１、連結部材１２および取付部材１３のうちの、図１の側面図１０１に図示されている一方についてのみ詳細に説明するが、他方についても同様の構成である。
【００２２】
固定部材１１と連結部材１２とは、第１連結部分１１ａを介して連結されている。また、連結部材１２と取付部材１３とは、第２連結部分１２ａを介して連結されている。第１連結部分１１ａは、固定部材１１および連結部材１２の一方が他方に対して第１連結部分１１ａを回転軸とする回動が可能な態様により、固定部材１１と連結部材１２とを連結している。また第２連結部分１２ａは、連結部材１２および取付部材１３の一方が他方に対して第２連結部分１２ａを回転軸とする回動が可能な態様により、連結部材１２と取付部材１３とを連結している。言い換えれば、連結部材１２と固定部材１１とは、回動可能に連結されている。また連結部材１２と取付部材１３とも同様に、回動可能に連結されている。
【００２３】
第１連結部分１１ａを軸とした上述の回動可能な態様とは、例えば連結部材１２の一端部および固定部材１１の端部の何れか一方に形成される凹部と、他方に形成される凸部とが嵌まり合う態様であるが、これに限定されない。また第１連結部分１１ａは、装着者Ｐ等が固定部材１１または連結部材１２に対して所定の力を加えた場合に、固定部材１１または連結部材１２が回動するように構成されていることが好ましい。すなわち、当該所定の力が加わっていない状態では、固定部材１１または連結部材１２は回動せず、固定部材１１と連結部材１２との間の位置関係が固定されることが好ましい。
【００２４】
第２連結部分１２ａを軸とした上述の回動可能な態様は、第１連結部分１１ａの回動可能な態様と同様であってよい。
【００２５】
固定部材１１および連結部材１２は、プラスチックにより形成されていることが好ましい。このようなプラスチックの材料としては、例えばポリエチレン、ポリスチレン、ポリプロピレン、ポリカーボネート、ＡＢＳ（Acrylonitrile-Butadiene-Styrene）、ポリ塩化ビニル、ＰＥＴ（Polyethylene Terephthalate）、アクリルおよびメタクリル等が挙げられるが、これに限定されない。このように、固定部材１１および連結部材１２がプラスチックにより形成されていれば、フェイスシールド１を軽量化することが容易となる。そのため、フェイスシールド１が取り付けられたヘルメット３０の重量による装着者への負担を軽減できる。
【００２６】
なお、堅固性および耐損傷性等の観点から、固定部材１１および連結部材１２は、金属材料により形成されていてもよい。また取付部材１３は、ヘルメット３０に強固に固定されることを要するため、金属材料により形成されていることが好ましい。
【００２７】
（保護面）
図２に示すように、保護面２０は、フェイスシールド１が取り付けられたヘルメット３０を装着する装着者Ｐの顔面を覆う部材である。保護面２０は、透光性を有する材料により形成されている。このような材料として、例えばポリカーボネートおよびアクリルが挙げられるが、これに限定されない。保護面２０は、略無着色の透明であってもよく、着色されていてもよい。保護面２０が略無着色であれば、装着者Ｐの視界が明瞭となる。一方、保護面２０が着色されていれば、保護面２０を通過する光の強度が減少するため、強い光が発生する作業等に適している。
【００２８】
保護面２０は、装着者Ｐの顔面を両耳まで覆う大きさである。フェイスシールド１がこのような大きさの保護面２０を備えていれば、装着者Ｐの顔面の正面だけでなく、側面も保護面２０によって保護できる。例えば装着者Ｐの顔面に飛散物が向かってきた場合、装着者Ｐはとっさに横を向いて避ける動作をしてしまうことがある。このような場合でも、前記の構成を備える保護面２０であれば、装着者Ｐの顔面に飛散物が付着することを効果的に防止できる。また、広範囲に飛散物が飛び散って装着者Ｐの顔面に向かってきても、保護面２０は装着者Ｐの顔面を、側面を含めて効果的に保護できる。
【００２９】
保護面２０について、本実施形態では一体的に形成されている例を示しているが、これに限られない。例えば保護面２０は、装着者Ｐの顔面の正面は覆うが両耳までは覆わない正面側の部分と、装着者Ｐの左右それぞれの耳を覆う２つの側面側の部分とを備え、これらがネジ等により連結されている構成であってもよい。このような構成によれば、従来一般的な保護面に前記の側面側の部分を追加で取り付けることにより、装着者Ｐの顔面を両耳まで覆う保護面２０を容易に形成できる。
【００３０】
保護面２０はまた、装着者Ｐの顔面を覆っている状態で外側に凸となる曲面状に形成されている。当該形状により保護面２０は、保護メガネ４０が装着者Ｐの顔面に装着され、かつ、保護面２０が顔面を覆っている状態で、保護メガネ４０との間に空間を形成する。
【００３１】
保護面２０がこのような形状であるため、保護面２０が装着者Ｐの顔面を覆っている状態で、保護面２０は、装着者Ｐの顔面に装着される保護メガネ４０と干渉しない。したがって装着者Ｐは、保護メガネ４０を装着し、さらにフェイスシールド１が取り付けられたヘルメット３０を容易に装着できる。なお、装着者Ｐが保護面２０の内側に装着するのは、保護メガネ４０に限られず、例えば通常の視力矯正用のメガネまたはサングラス等であってもよく、ガスマスク等であってもよい。
【００３２】
このような構成であれば、保護メガネ等と、保護面を備えるヘルメットの両方の装着が必要となるような作業現場で作業する場合に、フェイスシールド１が取り付けられたヘルメット３０を好ましく使用できる。
【００３３】
ヘルメット３０は、工場等の作業現場で装着者Ｐの頭部を保護するための作業用ヘルメットである。ヘルメット３０は、装着者Ｐの頭部を確実に保護するため、頑丈な材料により形成されていることが好ましい。また当該材料は、装着者Ｐの負担を軽減するために、軽量な材料であることが好ましい。
【００３４】
〔フェイスシールドの機能〕
図２には、保護面２０の位置が、保護面２０が装着者Ｐの顔面を覆う位置（以降、「装着位置」という）となる状態を示している。一方で図３には、保護面２０の位置を、ヘルメット３０の上部に退避させた位置（以降、「退避位置」という）に退避させる途中の状態を示している。また図４には、保護面２０の位置を退避位置まで退避させた状態を示している。
【００３５】
図２から図４に示すように、フェイスシールド１は、保護面２０の位置について、装着位置と退避位置との間を移動させることを可能とする機能を有している。したがってフェイスシールド１は、装着者Ｐが作業中には、装着者Ｐの顔面を的確に保護できる。そして装着者Ｐが作業中以外では、装着者Ｐは保護面２０の位置を顔面の正面以外の位置に退避できる。したがって装着者Ｐは、フェイスシールド１が取り付けられたヘルメット３０を脱がなくても、水分補給を行ったり、顔面の汗を拭いたりすることができる。
【００３６】
（保護面の退避）
以下に、図２から図４を用いて、保護面２０を装着位置から退避位置に退避させる方法について説明する。ここでは、保護面２０が装着位置に位置している状態から退避位置に位置している状態まで、保護面２０の位置を移動させる方法を説明している。一方、保護面２０の位置を退避位置から装着位置に移動させる方法については、以下に説明する方法を逆の順序で行うことで実施可能である。
【００３７】
図３に示すように、装着者Ｐは保護面２０の位置を、装着位置から装着者Ｐの頭頂部側に向けて移動させる。このとき装着者Ｐは、連結部材１２の第１連結部分１１ａ側および固定部材１１の位置が装着者Ｐの頭頂部側に移動する方向に、連結部材１２を、第２連結部分１２ａを軸として取付部材１３に対して回動させる。
【００３８】
当該回動により、装着者Ｐはヘルメット３０を装着したまま、保護面２０の位置を顔面の正面から移動できる。しかしながら、図３に示す状態では、保護面２０がヘルメット３０の上方の空間を大きく占有してしまう。そのため、装着者Ｐの移動時に、例えばラックおよび配管等の工場内設備と保護面２０とが接触し、保護面２０に損傷および破損等が生じてしまう虞がある。また、工場内設備が傷ついてしまうことも考えられる。
【００３９】
このような不具合に対して、本実施形態に係るフェイスシールド１は、図３に示すような、上方に移動後の保護面２０の位置をさらに、図４に示すような退避位置にコンパクトに退避できる。具体的には、保護面２０の位置を図３に示す位置に移動後に、保護面２０がヘルメット３０の外表面を覆うように、保護面２０の位置をさらに移動できる。このとき装着者Ｐは、保護面２０を保持している部分の位置が装着者Ｐの顔面の前方方向に移動するように、固定部材１１を、第１連結部分１１ａを軸として連結部材１２に対して回動させる。当該回動により、保護面２０の位置は退避位置に退避される。
【００４０】
このようにフェイスシールド１は、固定部材１１と取付部材１３との間に連結部材１２が設けられており、固定部材１１が連結部材１２に対して回動可能であり、連結部材１２が取付部材１３に対して回動可能である。このような構成により、装着者Ｐは、保護面２０を、ヘルメット３０の上方の空間を大きく占有することなく、ヘルメット３０の外表面を覆うようにコンパクトに退避できる。したがって、装着者Ｐの移動時に、工場内設備等と保護面２０とが接触しにくく、保護面２０および工場内設備の損傷等を低減できる。
【００４１】
また好ましい構成として、第１連結部分１１ａおよび第２連結部分１２ａは、装着者Ｐが所定の力を加えなければ、固定部材１１または連結部材１２が回動しないように構成される。この場合、保護面２０は、装着位置または退避位置に移動された状態で位置が固定されるため、保護面２０が装着者Ｐの意図に反して移動してしまうことがない。
【００４２】
なお、第２連結部分１２ａを軸とした連結部材１２の回動と、第１連結部分１１ａを軸とした固定部材１１の回動とは、略同時に行われてもよい。このような構成によれば、装着者Ｐは、保護面２０の位置を装着位置から退避位置まで、素早く退避させることができる。
【００４３】
〔変形例〕
本考案の一態様に係るフェイスシールドとしては、本実施形態に係るフェイスシールド１の他にも様々な変形例が想定される。本考案の一態様に係るフェイスシールドの一変形例について、図５を参照して以下に説明する。本変形例に係るフェイスシールド２は、本実施形態に係るフェイスシールド１が備えている保護面２０とは形状の異なる保護面２１を備えている点において、本実施形態に係るフェイスシールド１と異なる。
【００４４】
保護面２１は、装着者Ｐの顔面の上下方向に平面的な形状として形成されている。そのため、保護面２１は保護面２０のように、装着者Ｐの顔面の上下方向に、外側に凸となる形状とはなっていない。したがって、保護面２１が装着者Ｐの顔面を覆っている状態で、装着者Ｐの顔面前方に空間的余裕が生じやすい。このような構成によれば、装着者Ｐは保護面２１により顔面を覆った状態で、作業の対象物に顔面を近づけて作業することが容易となる。また、保護面２１の形状によれば、保護面２１を備えているフェイスシールド２の製造が容易となる。
【００４５】
〔付記事項〕
本考案は上述した各実施形態に限定されるものではなく、請求項に示した範囲で種々の変更が可能であり、異なる実施形態にそれぞれ開示された技術的手段を適宜組み合わせて得られる実施形態についても本考案の技術的範囲に含まれる。
【符号の説明】
【００４６】
１、２      フェイスシールド（ヘルメット用フェイスシールド）
１０        保持部
１１        固定部材
１２        連結部材（第１の連結部材、第２の連結部材）
１３        取付部材
２０、２１  保護面
３０        ヘルメット
４０        保護メガネ
Ｐ          装着者
【図１】
0003224635.tif 000003
【図２】
0003224635.tif 000004
【図３】
0003224635.tif 000005
【図４】
0003224635.tif 000006
【図５】
0003224635.tif 000007